(57)【要約】【課題】傾きが目立ちやすい横長の画面であっても、使用者に撮像装置の傾きが目立たないように促すことができ、見苦しくない画像とすることを可能にする。【解決手段】当該撮像装置の傾き情報を検出する傾き検出手段１０５と、傾き検出手段の検出出力に応じた傾きガイド表示を撮影画像に重畳して表示可能な表示手段１１０と、撮像画面のアスペクト比を設定するアスペクト比設定手段１０４と、アスペクト比設定手段によって設定されたアスペクト比に基づいて、前記傾きガイド表示を行うか否かを制御する表示制御手段１０９とを有する撮像装置とする。【選択図】図１
2007124272.tif 000002
【特許請求の範囲】
【請求項１】
当該撮像装置の傾き情報を検出する傾き検出手段と、
前記傾き検出手段の検出出力に応じた傾きガイド表示を撮影画像に重畳して表示可能な表示手段と、
撮像画面のアスペクト比を設定するアスペクト比設定手段と、
前記アスペクト比設定手段によって設定されたアスペクト比に基づいて、前記傾きガイド表示を行うか否かを制御する表示制御手段と、
を有することを特徴とする撮像装置。
【請求項２】
前記表示制御手段は、前記アスペクト比設定手段によって設定されたアスペクト比が前記所定の比率よりも小さい場合には、前記傾きガイド表示を行わないように制御することを特徴とする請求項１に記載の撮像装置。
【請求項３】
前記表示制御手段は、前記アスペクト比設定手段によって設定されたアスペクト比が前記所定の比率よりも大きい場合には、前記ガイド表示を行うように制御することを特徴とする請求項１または２に記載の撮像装置。
【請求項４】
当該撮像装置の傾き情報を検出する傾き検出手段と、
前記傾き検出手段の検出出力に応じた傾きガイド表示を撮影画像に重畳して表示可能な表示手段と、
少なくとも、通常の撮影モードと、連続して複数回撮影し、複数の撮影画像をつなげる撮影モードとを切換え可能なステッチ撮影モード切換手段と、
前記ステッチ撮影モード時には、前記傾きガイド表示を行うように制御する表示制御手段と、
を有することを特徴とする撮像装置。
【発明の詳細な説明】
【技術分野】
【０００１】
本発明は、水平に保持して撮影を可能にするための傾きガイド表示を撮像画面に重畳表示可能な撮像装置に関するものである。
【背景技術】
【０００２】
従来、ビデオカメラ等にて撮影された映像を見やすいものとするために、カメラの水平を維持する技術が提案されている。例えば特許文献１によれば、水平検出器によりカメラの傾きを検出し、検出された傾きに相応する情報を表示画面上に表示することによってカメラが傾いていることを撮影者に知らしめ、注意を促すことが開示されている。また、傾きの表示については、例えば特許文献２で示されるように、水平基準線とカメラの傾きの両方を色分けして表示し、一致したら一本の線として表示する、等の技術が提案されている。
【特許文献１】特開昭６４−４０８２４号公報
【特許文献２】特開２００２−２７１６５４号公報
【発明の開示】
【発明が解決しようとする課題】
【０００３】
しかしながら、最近、スチルカメラのパノラマ撮影や、テレビのワイド化、ＨＤ化により、１６：９モードなど、従来のアスペクト比と比べると、その比率が横長となる映像機器が増えてきている。既に４：３と１６：９のいずれかにアスペクト比を切り換え可能にするビデオカメラが一般化している。また、スチルカメラでもパノラマ撮影や、デジタルカメラによる横方向に連続して撮影した画像の後に画像処理によりアスペクト比の高い横長の画像とする、いわゆるステッチ撮影なども一般化してきた。
【０００４】
ところが、１６：９など、アスペクト比がより大きく横長となった場合、従来からの３：２や４：３等の撮影時に対して、より撮像画像の傾きが目立つようになってしまう。したがって、アスペクト比の高い１６：９等のアスペクト比による撮影を選択した際には、カメラの傾きを表示させ、撮影者に傾きの軽減を促す技術が望まれている。
【０００５】
（発明の目的）
本発明の目的は、傾きが目立ちやすい横長の撮像画像となる場合であっても、使用者に撮像装置の傾きを目立たないように促すことができ、見苦しくない撮像画像とすることができる撮像装置を提供しようとするものである。
【課題を解決するための手段】
【０００６】
上記目的を達成するために、本発明は、当該撮像装置の傾き情報を検出する傾き検出手段と、前記傾き検出手段の検出出力に応じた傾きガイド表示を撮影画像に重畳して表示可能な表示手段と、撮像画面のアスペクト比を設定するアスペクト比設定手段と、前記アスペクト比設定手段によって設定されたアスペクト比に基づいて、前記傾きガイド表示を行うか否かを制御する表示制御手段とを有する撮像装置とするものである。
【０００７】
同じく上記目的を達成するために、本発明は、当該撮像装置の傾き情報を検出する傾き検出手段と、前記傾き検出手段の検出出力に応じた傾きガイド表示を撮影画像に重畳して表示可能な表示手段と、少なくとも、通常の撮影モードと、連続して複数回撮影し、複数の撮影画像をつなげる撮影モードとを切換え可能なステッチ撮影モード切換手段と、前記ステッチ撮影モード時には、前記傾きガイド表示を行うように制御する表示制御手段とを有する撮像装置とするものである。
【発明の効果】
【０００８】
本発明によれば、傾きが目立ちやすい横長の撮像画像となる場合であっても、使用者に撮像装置の傾きを目立たないように促すことができ、見苦しくない撮像画像とすることができる撮像装置を提供できるものである。
【発明を実施するための最良の形態】
【０００９】
本発明を実施するための最良の形態は、以下の実施例１および実施例２に示す通りである。
【実施例１】
【００１０】
図１は本発明の実施例１に係わるビデオカメラの回路構成を示すブロック図である。図１において、１０１は被写体を撮影するためのレンズユニット、１０２はレンズユニット１０１により結像された被写体像を光電変換するＣＣＤである。１０３は信号処理回路であり、ＣＣＤ１０２により得られた被写体像のアナログ撮像信号を内蔵しているＡ／Ｄ変換器によりデジタル信号に変換する。その後、ガンマ補正、ホワイトバランス等、所定の信号処理をした後に、ＮＴＳＣなどの標準映像信号を生成する。
【００１１】
１０４はアスペクト比切換スイッチであり、撮影者が撮影の状況により操作を行い、アスペクト比の切り換えを行う。１０５はビデオカメラの傾き情報を検出するための傾きセンサであり、この実施例１では加速度センサを使用している。１０６は傾きセンサ１０５の出力を増幅するアンプ、１０７は傾き情報に応じたガイド表示信号（傾きガイド表示信号）を発生させるガイド表示信号発生回路である。１０８は信号処理回路１０３より得られる標準映像信号にガイド表示信号発生回路１０７より得られるガイド表示信号を合成した画像（撮像画像にガイド表示（傾きガイド表示）を重畳した画像）を表示可能な表示重畳回路である。１０９はマイコンであり、ＣＣＤ１０２、信号処理回路１０３の駆動制御を行い、撮像画像のアスペクト比を制御すると共に、表示重畳回路１０８を制御している。
【００１２】
１１０は標準映像信号にガイド表示信号を合成した画像を表示可能なファインダである。１１１は信号処理回路１０３にて信号処理された標準映像信号を撮像画像として記録するレコーダである。
【００１３】
上記構成において、レンズユニット１０１により撮像された被写体像はＣＣＤ１０２に結像し、光電変換される。その後は信号処理回路１０３にてデジタル信号に変換され、ガンマ補正、ホワイトバランス等、所定の信号処理を施されて標準映像信号となる。この標準映像信号はレコーダ１１１に出力され、ここで撮像画像として記録される。また、標準映像信号は表示重畳回路１０８にも出力される。
【００１４】
一方、傾きセンサ１０５より得られた傾き情報はアンプ１０６にて所定量に増幅され、ガイド表示信号発生回路１０７にて上記傾き情報に応じたガイド表示信号として表示重畳回路１０８に出力される。これにより、表示重畳回路１０８にて標準映像信号にガイド表示信号を合成した画像がファインダ１１０に出力され、ファインダ１１０上に、撮影画像に重ねて、ビデオカメラを水平保持して撮像可能にするためのガイド表示（詳細は図４にて後述）が行われる。
【００１５】
次に、アスペクト比の切り換えについて説明する。例えばアスペクト比が１６：９のＣＣＤが用いられたビデオカメラにおいて、撮影者がアスペクト比切換スイッチ１０４により１６：９から４：３のアスペクト比に切り換えたとする。この操作によりアスペクト比切換スイッチ１０４からその切換信号がマイコン１０９に入力される。すると、マイコン１０９はＣＣＤ１０２及び信号処理回路１０３に対しアスペクト比を変更したタイミングでの読み出しおよび信号処理を指示する。具体的には、ＣＣＤ１０２の読み出し画像領域としてその上限の一部の読み出しを行わないようにすることにより、所望のアスペクト比の撮像画像を得る。尚、アスペクト比の切り換えの仕組みについては本発明には直接関連しないので、その詳細説明は省略する。なお、本実施例においてアスペクト比とは横方向／縦方向、もしくは水平方向／垂直方向の式で表現できる割合と定義している。
【００１６】
また、上記アスペクト比切換スイッチ１０４によるアスペクト比の切り換えに伴い、マイコン１０９が表示重畳回路１０８に表示重畳制御信号を出力する。表示重畳回路１０８は表示重畳制御信号に応じてガイド表示信号発生回路１０７から入力されるガイド表示信号を信号処理回路１０３から得られる標準映像信号に合成することを許可、あるいは禁止する。例えば、アスペクト比の小さい４：３のアスペクト比に切り換えられた場合には、標準映像信号へのガイド表示信号の合成を禁止し、反対にアスペクト比の大きい１６：９のアスペクト比に切り換えられた場合には、標準映像信号へのガイド表示信号の合成を許可する。
【００１７】
次に、マイコン１０９での処理について、図２を用いて説明する。図２は、マイコン１０９内にて行われるアスペクト比の切り換えに伴うガイド表示に関する動作を示すフローチャートである。
【００１８】
このフローチャートは、例えばビデオ同期等、所定の周期にて繰り返し実行される。ステップＳ２０１から動作を開始し、ステップＳ２０２では、アスペクト比切換スイッチ１０４によるアスペクト比の切り換え状態を確認する。この結果、４：３のアスペクト比に切り換えられていた場合にはステップＳ２０３へ進み、１６：９のアスペクト比に切り換えられていた場合にはステップＳ２０７へ進む。
【００１９】
まず、４：３のアスペクト比に切り換えられていた場合について説明する。この場合、ステップＳ２０２からステップＳ２０３へ進み、アスペクト比が４：３に設定されているためにＣＣＤ１０２の読みだしエリアを４：３とする。そして、次のステップＳ２０４にて、信号処理回路１０３での信号処理をアスペクト比４：３に対応した処理とする。具体的には、ＣＣＤ１０２より読み出される走査ライン数に対応した画像処理を施す。続くステップＳ２０５では、ガイド表示を禁止するために表示重畳回路１０８での重畳動作を禁止する。これにより、標準映像信号のみがファインダ１１０に出力され、ファインダ１１０には撮像画像のみが表示されることになる。
【００２０】
また、上記ステップＳ２０２にて１６：９のアスペクト比に切り換えられていた場合にはステップＳ２０７へ進み、ここではアスペクト比が１６：９に設定されているためにＣＣＤ１０２の読みだしエリアを１６：９とする。そして、次のステップＳ２０８にて、信号処理回路１０３での信号処理をアスペクト比１６：９に対応した処理とする。具体的には、ＣＣＤ１０２より読み出される走査ライン数に対応した画像処理を施す。続くステップＳ２０９では、ガイド表示を許可するために表示重畳回路１０８での重畳動作を実行する。これにより、標準映像信号にガイド表示信号を合成した信号がファインダ１１０に出力され、ファインダ１１０にて撮像画像にガイド表示が重畳して表示される。
【００２１】
上記ステップＳ２０５、または、ステップＳ２０９の動作を終了した後はステップS２０６へ進み、このフローを終了する。
【００２２】
図３は、ビデオカメラの傾きと傾きセンサ１０５の出力の関係を示す図である。なお、図３において、１００はビデオカメラ、１１０は液晶パネルであるところのファインダ、１０５は傾きセンサ（加速度センサ）である。
【００２３】
図１のアンプ１０６のゲイン設定を適切にすることにより、傾きセンサ１０５のセンサ出力は、以下のような電圧範囲をとるように設定できる。
【００２４】
図３（ｂ−１）はビデオカメラ１００が正位置にある場合を示しており、センサ出力は図３（ｂ−２）のように電源電圧Ｖｃｃの半分となる。これに対し、図３（ａ−１）のようにビデオカメラ１００を図中９０度左回りに傾けると、センサ出力は図３（ａ−２）のように電源電圧Ｖｃｃと同じとなる。逆に、図３（ｃ−１）のように図中９０度右回りに傾けると、センサ出力は図３（ｃ−２）のようにＧＮＤレベルとなる。
【００２５】
図３（ａ−１）と図３（ｂ−１）、または、図３（ｂ−１）と図３（ｃ−１）の中間の傾きにおいては、センサ出力は傾きに対してリニアに変化する。この傾き量に応じた電圧に基づき、ガイド表示信号発生回路１０７にて傾き量を示すガイド表示信号が生成され、表示重畳回路１０８を経て標準映像信号と合成され、ファインダ１１０に表示される。
【００２６】
次に、図４を用いて、ファインダ１１０に表示される画像について説明する。
【００２７】
図４（ａ）はアスペクト比が４：３に切り換えられた場合のファインダ１１０上の画像を示すものであり、この場合はファインダ１１０に４：３の撮影画像が表示される。また、図４（ｂ）はアスペクトが１６：９に切り換えられた場合のファインダ１１０上の画像を示すものである。この場合はガイド表示信号発生回路１０７にて生成されるガイド表示信号が表示重畳回路１０８にて標準映像信号と合成されるので、ファインダ１１０上に、撮像画像に重畳して傾き量３０２をもつガイド表示３０１が表示される。傾きセンサ１０５の出力を増幅するアンプ１０６の増幅率を適正にそろえることにより、被写体の傾き（例えば背景の地平線等の傾き）と同等に設定することも可能である。
【００２８】
また、図４（ａ）および図４（ｂ）は、それぞれ同一の傾き量がビデオカメラに生じた際の画像の左右端における表示位置の差分を示すものである。これらの図に示すように画面の左右を横切る水平なライン（地平線、水平線等）がある場合、上記表示位置の差分はアスペクト比４：３に示す“Ａ”の量に比べ、アスペクト比１６：９における“Ｂ”の量の方が大きいことがわかる。すなわち、同じ傾きにおいても、アスペクト比により撮像画像へ与える影響は異なり、アスペクト比が大きいほどその影響度が高い。
【００２９】
本実施例１においては、ビデオカメラ等のアスペクト比の変更について説明をしているが、スチルカメラ等でも同様であり、３：２のアスペクトとパノラマ撮影のアスペクトとを切り換えた際に本実施形と同様の処理を行うことも可能である。
【００３０】
上記実施例１によれば、現在のアスペクト比が前記所定の比率以下と判定した際は、ファインダ１１０に映し出された撮像画像にガイド表示３０１を重畳表示することを禁止する。また、現在のアスペクト比が前記所定の比率よりも大きい（この例では、１６：９）と判定した際は、ファインダ１１０に映し出された撮像画像に前記ガイド表示３０１を重畳表示することを許容する構成にしている。
【００３１】
よって、傾きが目立ちやすい横長の撮像画像となる場合であっても、使用者に撮像装置の傾きを目立たないように促すことができ、見苦しくない撮像画像とすることが可能となる。
【実施例２】
【００３２】
次に、本発明の実施例２に係わるデジタルカメラについて説明する。実施例１では、横長のアスペクト比に切り換えることを可能にしていた。本発明の実施例２は、横方向に連続する画角の静止画像を複数枚撮像可能な撮影モードを有する。そして、この撮影モード時には、それらの画像に合成画像処理を施して横方向に接合された１枚の静止画を構成する、いわゆるステッチ撮影を行う可能にするものである。そして、このステッチ撮影の際にガイド表示を行うものである。
【００３３】
図５は本発明の実施例２に係わるデジタルカメラの回路構成を示すブロック図である。同図において、４０１は被写体を撮影するためのレンズユニット、４０２はレンズユニット４０１により結像された被写体像を光電変換するＣＣＤである。４０３は信号処理回路であり、ＣＣＤ４０２により得られた被写体像のアナログ撮像信号を、内蔵しているＡ／Ｄ変換器によりデジタル信号に変換する。その後、ガンマ補正、ホワイトバランス等、所定の信号処理をした後に静止画像信号を生成する。４０４は画像メモリであり、撮影された静止画像信号を記憶する。
【００３４】
４０５はビデオカメラの傾き情報を検出するための傾きセンサであり、本実施例２では加速度センサを使用している。４０６は傾きセンサ４０５の出力を増幅するアンプ、４０７は傾き情報に応じたガイド表示信号（傾きガイド表示信号）を発生させるガイド表示信号発生回路である。４０８は表示重畳回路であり、信号処理回路４０３から得られる静止画像信号に、ガイド表示信号発生回路４０７から得られるガイド表示信号と、画像メモリ４０４に記憶された静止画像を合成するものである。４０９はステッチ撮影切換スイッチであり、撮影者が状況により操作し、通常撮影とステッチ撮影を切り換えるものである。
【００３５】
４１０はマイコンであり、画像メモリ４０４の記憶、読み出し制御を行うと共に、表示重畳回路４０８を制御している。４１１はファインダであり、静止画像信号にガイド表示信号および画像メモリ４０４に記憶された静止画像を重畳した画像を表示可能である。４１２は信号処理回路４０３にて信号処理された静止画像信号を記録するレコーダである。
【００３６】
上記構成において、レンズユニット４０１により撮像された被写体像はＣＣＤ４０２に結像し、光電変換される。その後、信号処理回路４０３にてデジタル信号に変換され、ガンマ補正、ホワイトバランス等、所定の信号処理を施されて静止画像信号となる。この静止画像信号はレコーダ４１２に出力され、静止画像として記録される。また、静止画像信号は画像メモリ４０４および表示重畳回路４０８にも出力される。
【００３７】
一方、傾きセンサ４０５より得られた傾き情報はアンプ４０６にて所定量の増幅を施され、ガイド表示信号発生回路４０７にて傾き情報に応じたガイド表示信号として生成される。そして、表示重畳回路４０８にて静止画像信号と合成され、ファインダ４１１にこれらが重ねて表示される。
【００３８】
次に、ステッチ撮影の切り換えについて説明する。ステッチ撮影切換スイッチ４０９にてステッチ撮影に切り換えられると、マイコン４１０の制御により、撮影を行った際のレコーダ４１２に記録される画像と同じ画像が画像メモリ４０４に記憶される。さらに、記憶された画像の一部を画面の右、あるいは左に重ねて表示し、次の撮影を行う際の画角設定のステッチガイドとする表示が行われる。
【００３９】
また、ステッチ撮影切換スイッチ４０９による切り換えに伴い、マイコン１０９は表示重畳回路４０８に表示重畳制御信号を出力する。表示重畳回路４０８は、表示重畳制御信号に応じてガイド表示信号発生回路４０７に発生するガイド表示信号を信号処理回路４０３から得られる静止画像信号に合成することを許可、あるいは禁止する。具体的には、ステッチ撮影切換スイッチ４０９にてステッチ撮影に切り換えられた場合には、画像信号へのガイド表示信号の合成を許可し、反対に通常撮影モードに切り換えられた場合には、画像信号へのガイド表示信号の合成を禁止するものである。
【００４０】
次に、マイコン４１０での処理について、図６を用いて説明する。図６は、マイコン４１０内にて行われるステッチガイド表示およびガイド表示に関する動作を示すフローチャートである。
【００４１】
このフローチャートは、所定の周期にて繰り返し実行される。ステップＳ５０１から動作を開始し、まずステップＳ５０２では、ステッチ撮影切換スイッチ４０９にて通常撮影に切り換えられているか、ステッチ撮影に切り換えられているかの確認を行う。この結果、通常撮影に切り換えられている場合にはステップＳ５０３へ進み、ステッチ撮影に切り換えられている場合にはステップＳ５０９へ進む。
【００４２】
まず、通常撮影に切り換えられた場合について説明する。この場合、ステップＳ５０２からステップＳ５０３へ進み、ガイド表示の出力を禁止するために表示重畳回路４０８での重畳動作を禁止する。これにより、画像信号にガイド表示を重畳しない画像がファインダ４１１に出力され、該ファインダ４１１には撮像画像のみが表示される。次のステップＳ５０４では、ステッチガイド表示として画像メモリ４０４に記憶された画像の表示を禁止するために表示重畳回路４０８の重畳動作を禁止する。これにより、ファインダ４１１にステッチガイド表示の画像が表示されることはない。次のステップＳ５０５では、不図示のシャッタが押されたか否かを判定する。シャッタが押されていなければステップＳ５０８へ進み、このフローを終了する。一方、シャッタが押されていればステップＳ５０６へ進み、ここでは撮像画像をレコーダ４１２に記録する。そして、次のステップＳ５０７にて、撮像画像を画像メモリ４０４に記憶し、続くステップＳ５０８にてこのフローを終了する。
【００４３】
また、上記ステップ５０２にてステッチ撮影に切り換えられていた場合はステップＳ５０９に進み、ガイド表示の出力を許可するために表示重畳回路４０８での重畳動作を実行する。これにより、画像信号にガイド表示を重畳した画像がファインダ４１１に出力され、該ファインダ４１１に撮像画像にガイド表示を重畳した表示が行われる。次のステップＳ５１０では、ステッチ撮影に切り換えられて最初の撮影であるか否かを判定する。この結果、最初の撮影の場合にはステップＳ５１２へ進み、ステッチガイド表示として画像メモリ４０４に記憶された画像の表示を禁止するために表示重畳回路４０８の重畳動作を禁止する。これにより、画像信号にステッチガイド表示信号を合成しない画像信号がファインダ４１１に出力され、該ファインダ４１１には最初の撮像画像のみが表示される。
【００４４】
また、２枚目以降の撮影であった場合はステップＳ５１０からステップＳ５１１へ進み、ステッチガイド表示として画像メモリ４０４に記憶された画像を前回の撮像画像の右側もしくは左側に表示するために表示重畳回路４０８での重畳動作を許可する。これにより、ステッチガイド表示用の画像がファインダ４１１に出力され、該ファインダ４１１にステッチガイド表示が行われる。
【００４５】
したがって、ステッチ撮影切換スイッチ４０９を通常撮影よりステッチ撮影に切り換えた場合には、デジタルカメラの水平を保持させるためのガイド表示が撮像画像に重畳してファインダ４１１に表示される。そして、１枚目のステッチ画像が撮影された以降は、最後に撮影された画像の一部がファインダ４１１の端部に表示され、これが続けて撮影を行う際のステッチガイド表示となる。
【００４６】
ここで、図７を用いて、ステッチ撮影時の流れを、重畳される画像を用いて説明する。
【００４７】
図７（ａ）はステッチ画像の１枚目を撮影する際のファインダ４１１に表示される画像を示す図であり、上記したように１枚目の撮像画像にガイド表示６０１が重畳して表示されている。ここで、静止画撮影を実行すると、画像メモリ４０４には図７（ａ）に示された構図の撮像画像が記憶される。その後に、次の静止画像を連続して撮影可能にするために画像メモリ４０４に記憶された画像の一部を右に平行移動した画像が読み出され、この画像がステッチガイド表示として図７（ｂ）に示すように生成される。
【００４８】
次に、図７（ｂ）の状態で２枚目の撮像画像およびこの画像に重畳されるガイド表示がファインダ４１１に表示され、図７（ｃ）に示すファインダ画像が構成される。この図７（ｃ）に示す画像をガイドとし、３枚目以降も同様に、ステッチガイド表示およびビデオカメラの水平を保持させるためのガイド表示６０１がファインダ４１１に重畳して表示される。これにより、左方向に連続した複数の撮像画像が生成される。そして、この画像が、画像処理されることにより１枚の横長の撮影画像として形成される。この例では、左方向に撮影を繰り返して撮影を行う例を示しているが、逆方向へ連続して撮影を行うものであっても良い。
【００４９】
なお、撮像像を画像処理して１枚の横長画像にする工程については各静止画像の重なり部分を継ぎ合わせる処理を行うことにより実現可能であるが、本発明では直接関連がないため、その説明は省略する。
【００５０】
上記実施例２によれば、傾きが目立ちやすい横長の撮像画像となる場合であっても、使用者に撮像装置の傾きを目立たないように促すことができ、見苦しくない撮像画像とすることが可能となる。
【００５１】
上記実施例２では、デジタルカメラに適用した例を示しているが、これに限定されるものではなく、静止画撮影機能を有するビデオカメラ等の撮像装置に適用できるものである。
【図面の簡単な説明】
【００５２】
【図１】本発明の実施例１に係わるビデオカメラの回路構成を示すブロック図である。
【図２】本発明の実施例１に係わるビデオカメラにおいてガイド表示に関する動作を示すフローチャートである。
【図３】本発明の実施例１において傾きセンサとその出力特性を示した図である。
【図４】本発明の実施例１において傾きガイド表示を示した図である。
【図５】本発明の実施例２に係わるデジタルカメラの回路構成を示すブロック図である。
【図６】本発明の実施例１に係わるデジタルカメラにおいてステッチガイド表示及びガイド表示に関する動作を示すフローチャートである。
【図７】本発明の実施例２における表示例の説明図である。
【符号の説明】
【００５３】
１０２    ＣＣＤ
１０３    信号処理回路
１０４    アスペクト比切換スイッチ
１０５    傾きセンサ
１０６    アンプ
１０７    ガイド表示信号発生回路
１０８    表示重畳回路
１０９    マイコン
１１０    ファインダ
４０２    ＣＣＤ
４０３    信号処理回路
４０４    画像メモリ
４０５    傾きセンサ
４０６    アンプ
４０７    ガイド表示信号発生回路
４０８    表示重畳回路
４０９    ステッチ撮影切換スイッチ
４１０    マイコン
４１１    ファインダ
【図１】
2007124272.tif 000003
【図２】
2007124272.tif 000004
【図３】
2007124272.tif 000005
【図４】
2007124272.tif 000006
【図５】
2007124272.tif 000007
【図６】
2007124272.tif 000008
【図７】
2007124272.tif 000009